(57)【要約】      （修正有）【課題】スピードスプレイヤーと言う散布機の農薬飛散問題に対処し、その機械の持つ利便性を損なうことなく使用できるようにする。また設置コストを最小限に抑える。【解決手段】スピードスプレイヤーの農薬飛散を防止するために遮蔽シートを仮設的に設ける。最初に、園地端の道路沿いに支柱をすじかい、杭にて立ててビニールロープで縛り固定する、これを５本設置する。次にそれらの支柱間の上に１０番線を張り固定させる。支柱の上に滑車取り付け部品をビニールロープで縛り固定させる。シートをリングで取り付けた後、シート開閉ロープを滑車を通して取り付ける。【選択図】図２
0003136020.tif 000002
【実用新案登録請求の範囲】
【請求項１】
隣地の農産物に対する農薬の飛散（ドリフト）問題の解決策
【請求項２】
設置のコストを最小限に抑えなおかつ、ポジティブリスト制をクリアーする。
【請求項３】
農地の流動化に対応できるように仮設的でスピードスプレイヤーの風圧に耐える構造物とし、ロープと滑車を用いた開閉装置を有し、その年の最後の消毒が終わったらシート、ロープ、滑車を取り外し台風の影響を少なくする。
【考案の詳細な説明】
【技術分野】
【０００１】  本発明は、農薬の飛散防止を図った遮蔽シートに関する。
【背景技術】
【０００２】  ポジティブリスト制（平成１８年５月２９日施行）への対策。【０００３】  従来の遮蔽ネットは、住宅への農薬飛散防止用でコンクリート基礎の鉄製支柱でかなりのコスト高であり、撤去費用もかかる。
【考案の開示】
【考案が解決しようとする課題】
【０００４】  隣地への農薬飛散防止
【課題を解決するための手段】
【０００５】  遮蔽シート
【考案の効果】
【０００６】  かなりの防止効果があった。
【考案を実施するための最良の形態】
【０００７】  農薬散布時にシートを広げ、しない時は出来る限り小さくたためる物とする。【０００８】  補助器具としてクリップとピンを使用する。【０００９】  土地の流動化に対応出来るような、仮設構造物として将来的に撤去するか、コンクリート基礎の鉄製支柱やネットを使った永久的な物にするか柔軟性を持たせる。
【実施例】
【００１０】  自宅の道路沿いのりんご園に設置【００１１】  スピードスプレヤーにて農薬散布する。
【産業上の利用可能性】
【００１２】  低コストで簡易的である、スピードスプレヤーの風圧に注意して使用すれば、十分な実用性がある。
【図面の簡単な説明】
【００１３】
【図１】  遮蔽シートを示した平面図である。
【図２】  遮蔽シートを示した正面図である。
【図３】  遮蔽シートの開閉部を示した図である。
【図４】  遮蔽シートを示した断面図である。
【図５】  遮蔽シートの閉鎖前を示した図である
【図６】  遮蔽シートの閉鎖状態を示した図である
【図７】  遮蔽シートの収納状態を示した図である
【符号の説明】
【００１４】１  仮設支柱
２  シート
３  スピードスプレイヤー
４  シート開閉ロープ
５  クリップ
６  シート固定用ピン
７  滑車
８  １０番線
９  シート吊り下げリング
【図１】
0003136020.tif 000003
【図２】
0003136020.tif 000004
【図３】
0003136020.tif 000005
【図４】
0003136020.tif 000006
【図５】
0003136020.tif 000007
【図６】
0003136020.tif 000008
【図７】
0003136020.tif 000009
【手続補正書】
【提出日】平成19年1月9日(2007.1.9)
【手続補正１】
【補正対象書類名】実用新案登録請求の範囲
【補正対象項目名】全文
【補正方法】変更
【補正の内容】
【実用新案登録請求の範囲】
【請求項１】
ロープと滑車による開閉式のシートであり、補助器具としてクリップとピンを使用し、滑車取付け部及び、支柱設置部の杭をビニールロープにて縛り取り外しができる事を特徴とする仮設的な遮蔽シートである。
【手続補正２】
【補正対象書類名】明細書
【補正対象項目名】全文
【補正方法】変更
【補正の内容】
【考案の詳細な説明】
【技術分野】
【０００１】  本考案は、農薬の飛散防止を図った遮蔽シートに関する。
【背景技術】
【０００２】  近年農薬の指定外作物への飛散問題がクローズアップされてきた。【０００３】  従来の遮蔽ネットは、コンクリート基礎の鉄製支柱で、住宅への農薬飛散防止に限られている。
【考案の開示】
【考案が解決しようとする課題】
【０００４】  スピードスプレイヤーと言う散布機の農薬飛散問題に対処し、その機械の持つ利便性を損なうことなく使用できるようにする。また設置コストを最小限に抑える。
【課題を解決するための手段】
【０００５】  本考案は、スピードスプレイヤーの農薬飛散を防止するために遮蔽シートを仮設的に設置することを考案した。
【考案の効果】
【０００６】  従来は農薬飛散の規制が緩かったので、ネット、シートがなく隣地の作物にも農薬が付着する状態だったが、園地の端に遮蔽シートを設置することによって飛散が防止でき道路のアスファルトも濡れた様子がなかった。
【考案を実施するための最良の形態】
【０００７】  園地端の道路沿いに支柱をすじかい、杭にて立ててビニールロープで縛り固定する、これを５本設置する。次にそれらの支柱間の上に１０番線を張り固定させる。支柱の上に滑車取り付け部品をビニールロープで縛り固定させる。シートをリングで取り付けた後、シート開閉ロープを滑車を通して取り付ける
【実施例】
【０００８】  以下、添付図面に従って、実施例を説明する。図５において２のシートを７の滑車、４のロープで手動操作にてひろげる。図６のようにシートを中央で交差させ５のクリップで２枚を合わせ、６のピンで地面につける。【０００９】  農薬散布終了後、シートのクリップとピンを取り外し図７のように４のロープを手動操作してシートを支柱に寄せロープで巻きつけて収納状態にさせる。
【産業上の利用可能性】
【００１０】  低コストで簡易的である、スピードスプレヤーの風圧に注意して使用すれば、十分な実用性がある。
【図面の簡単な説明】
【００１１】
【図１】  遮蔽シートを示した平面図である。
【図２】  遮蔽シートを示した正面図である。
【図３】  遮蔽シートの開閉部を示した図である。
【図４】  遮蔽シートを示した断面図である。
【図５】  遮蔽シートの閉鎖前を示した図である
【図６】  遮蔽シートの閉鎖状態を示した図である
【図７】  遮蔽シートの収納状態を示した図である
【符号の説明】
【００１２】１    仮設支柱
２    シート
３    スピードスプレイヤー
４    シート開閉ロープ
５    クリップ
６    シート固定用ピン
７    滑車
８    １０番線
９    シート吊り下げリング
１０  ビニールロープ
１１  すじかい
１２  杭
１３  滑車取り付け部品
【手続補正３】
【補正対象書類名】図面
【補正対象項目名】全図
【補正方法】変更
【補正の内容】
【図１】
0003136020.tif 000010
【図２】
0003136020.tif 000011
【図３】
0003136020.tif 000012
【図４】
0003136020.tif 000013
【図５】
0003136020.tif 000014
【図６】
0003136020.tif 000015
【図７】
0003136020.tif 000016
【手続補正書】
【提出日】平成19年5月6日(2007.5.6)
【手続補正１】
【補正対象書類名】実用新案登録請求の範囲
【補正対象項目名】全文
【補正方法】変更
【補正の内容】
【実用新案登録請求の範囲】
【請求項１】
ロープと滑車による開閉式のシートであり、補助器具としてクリップとピンを使用しクリップにて、二枚のシートを合わせずれないように固定しピンでシートを地面に固定して、散布時の風圧で舞わないようにし、滑車取り付け部及び、支柱設置部のすじかいと杭をビニールロープにて縛り取り外しができる事を特徴とする農薬散布遮蔽仮設シート
【手続補正２】
【補正対象書類名】明細書
【補正対象項目名】全文
【補正方法】変更
【補正の内容】
【考案の詳細な説明】
【技術分野】
【０００１】  本考案は、農薬の飛散防止を図った遮蔽シートに関する。
【背景技術】
【０００２】  近年農薬の指定外作物への飛散問題がクローズアップされてきた。【０００３】  従来の遮蔽ネットは、コンクリート基礎の鉄製支柱で、住宅への農薬飛散防止に限られている。
【考案の開示】
【考案が解決しようとする課題】
【０００４】  スピードスプレイヤーと言う散布機の農薬飛散問題に対処し、その機械の持つ利便性を損なうことなく使用できるようにする。また設置コストを最小限に抑える。
【課題を解決するための手段】
【０００５】  本考案は、スピードスプレイヤーの農薬飛散を防止するために遮蔽シートを仮設的に設置することを考案した。
【考案の効果】
【０００６】  従来は農薬飛散の規制が緩かったので、ネット、シートがなく隣地の作物にも農薬が付着する状態だったが、園地の端に遮蔽シートを設置することによって飛散が防止でき道路のアスファルトも濡れた様子がなかった。
【考案を実施するための最良の形態】
【０００７】  園地端の道路沿いに支柱をすじかい、杭にて立ててビニールロープで縛り固定する、これを５本設置する。次にそれらの支柱間の上に１０番線を張り固定させる。支柱の上に滑車取り付け部品をビニールロープで縛り固定させる。シートをリングで取り付けた後、シート開閉ロープを滑車を通して取り付ける
【実施例】
【０００８】  以下、添付図面に従って、実施例を説明する。図５において２のシートを７の滑車、４のロープで手動操作にてひろげる。図６のようにシートを中央で交差させ５のクリップで２枚を合わせ、６のピンで地面につける。【０００９】  農薬散布終了後、シートのクリップとピンを取り外し図７のように４のロープを手動操作してシートを支柱に寄せロープで巻きつけて収納状態にさせる。
【産業上の利用可能性】
【００１０】  低コストで簡易的である、スピードスプレヤーの風圧に注意して使用すれば、十分な実用性がある。
【図面の簡単な説明】
【００１１】
【図１】  遮蔽シートを示した平面図である。
【図２】  遮蔽シートを示した正面図である。
【図３】  遮蔽シートの開閉部を示した図である。
【図４】  遮蔽シートを示した断面図である。
【図５】  遮蔽シートの閉鎖前を示した図である
【図６】  遮蔽シートの閉鎖状態を示した図である
【図７】  遮蔽シートの収納状態を示した図である
【図８】  遮蔽シートのクリップとピンの使用状態を示した図である
【符号の説明】
【００１２】  １    仮設支柱
２    シート
３    スピードスプレイヤー
４    シート開閉ロープ
５    クリップ
６    シート固定用ピン
７    滑車
８    １０番線
９    シート吊り下げリング
１０  ビニールロープ
１１  すじかい
１２  杭
１３  滑車取り付け部品
【手続補正３】
【補正対象書類名】図面
【補正対象項目名】全図
【補正方法】変更
【補正の内容】
【図１】
0003136020.tif 000017
【図２】
0003136020.tif 000018
【図３】
0003136020.tif 000019
【図４】
0003136020.tif 000020
【図５】
0003136020.tif 000021
【図６】
0003136020.tif 000022
【図７】
0003136020.tif 000023
【図８】
0003136020.tif 000024